(57)【要約】【課題】風向板が電動で到達できない位置へは、ユーザーが手動で到達させることができる、使い勝手がよい空気清浄機を提供する。【解決手段】空気清浄機１では、制御部６がモータ１５を制御してルーバー１２を動作させる。ルーバー１２の手動によって回動可能な手動範囲は、ルーバー１２が閉姿勢となる閉位置から鉛直方向に対して４５°だけ開方向へ傾いたＥ位置にまで到る。制御部６は、ルーバー１２が真上に開いた姿勢となるＣ位置と、ルーバー１２が鉛直方向に対して開方向へ３０°傾いたＤ位置との間で、ルーバー１２を遥動させる。ルーバー１２の回動範囲に、電動範囲と手動範囲とを共存させたことによって、空気吹出方向の設定方法の自由度が増すので、使い勝手がよい。【選択図】図１０
2011033338.tif 000002
【特許請求の範囲】
【請求項１】
清浄した空気を上向きに吹出す空気清浄機であって、
吹出口（１１）近傍で吹出空気を複数の吹出空気に分ける分流部材（１２）と、
前記分流部材（１２）を電動で回動させる駆動部（１５）と、
前記駆動部（１５）を制御して前記分流部材（１２）を動作させる制御部（６）と、
を備え、
前記分流部材（１２）の回動範囲は、
前記駆動部（１５）によって回動可能な電動範囲と、
前記電動範囲と異なり、手動によってのみ回動可能な手動範囲と、
に分けられている、
空気清浄機（１）。
【請求項２】
前記手動範囲の上限は、前記分流部材（１２）が鉛直方向に対して所定角度だけ開方向へ傾いたＥ位置であり、
前記制御部（６）は、前記分流部材（１２）が真上に開いた姿勢となるＣ位置と、前記分流部材（１２）が鉛直方向に対して開方向へ傾き且つ前記Ｅ位置には至らないＤ位置との間で、前記分流部材（１２）を遥動させる、
請求項１に記載の空気清浄機（１）。
【請求項３】
清浄した空気を上向きに吹出す空気清浄機であって、
吹出口（１１）近傍で吹出空気を複数の吹出空気に分ける分流部材（１２）と、
前記分流部材（１２）を電動で回動させる駆動部（１５）と、
前記駆動部（１５）を制御して前記分流部材（１２）を動作させる制御部（６）と、
を備え、
前記制御部（６）は、前記分流部材（１２）を、少なくとも前記分流部材（１２）が真上に開いた姿勢となるＣ位置を挟んで前後に遥動させる、
空気清浄機（１）。
【請求項４】
前記分流部材（１２）の動作を開始させるボタン（６７）をさらに備え、
前記制御部（６）は、前記分流部材（１２）の動作中に前記ボタン（６７）が押されたとき、前記分流部材（１２）を前記ボタン（６７）が押されたときの位置で停止させる、
請求項１から請求項３のいずれか１項に記載の空気清浄機（１）。
【請求項５】
前記分流部材（１２）は、
前記吹出口（１１）を、第１の吹出空気が通過する領域と第２の吹出空気が通過する領域とに仕切る仕切羽根（１２０）と、
前記仕切羽根（１２０）と交差し、且つ鉛直方向に対して傾斜自在に前記仕切羽根（１２０）に支持され、前記第１の吹出空気を第１方向に向かわせる第１風向調整羽根（１２１）と、
前記仕切羽根（１２０）と交差し、且つ鉛直方向に対して傾斜自在に前記仕切羽根（１２０）に支持され、前記第１の吹出空気を第２方向に向かわせる第２風向調整羽根（１２２）と、
を有し、
前記吹出口（１１）からの吹出空気は最大で３方向に吹出される、
請求項１から請求項４のいずれか１項に記載の空気清浄機（１）。
【発明の詳細な説明】
【技術分野】
【０００１】
本発明は、空気清浄機、特に除湿機能および加湿機能を有する床置形の空気清浄機に関する。
【背景技術】
【０００２】
従来、床置形の除湿機、加湿機及び空気清浄機では、吹出口の送風方向を広範囲に変化させる目的で、吹出口にルーバーを設置したものが広く普及している。例えば、特許文献１（特開２００２−２５７４０８号公報）に開示されている除湿機は、ステッピングモータの駆動によって、風向板が第１基準位置Ａ（閉位置）と第２基準位置Ｂ（真上に開いた位置）との間を遥動する構成である。第１基準位置Ａは、風向板のストッパーが扇形部の一端面に当たることによって決まり、第２基準位置Ｂは、ストッパーが扇形部の一端面と他端面４ｆとに当たることによって決まる。第１基準位置Ａと第２基準位置Ｂとの区間は、ステッピングモータ３４による電動範囲であるだけでなく、手動によって回動可能な手動範囲でもある。
【発明の概要】
【発明が解決しようとする課題】
【０００３】
しかしながら、上記のような構成では、風向板は、第２基準位置Ｂ（真上に開いた位置）でストッパーが扇形部の他端面に当たるので、機械的にも制御的にもそこからさらに回動することはできず、使い勝手がわるい。
【０００４】
本発明の課題は、風向板が電動で到達できない位置へは、ユーザーが手動で到達させることができる、使い勝手がよい空気清浄機を提供することにある。
【課題を解決するための手段】
【０００５】
本発明の第１観点に係る空気清浄機は、清浄した空気を上向きに吹出す空気清浄機であって、分流部材と、駆動部と、制御部とを備えている。分流部材は、吹出口近傍で吹出空気を複数の吹出空気に分ける。駆動部は、分流部材を電動で回動させる。制御部は、駆動部を制御して分流部材を動作させる。また、分流部材の回動範囲は、駆動部によって回動可能な電動範囲と、電動範囲と異なり手動によってのみ回動可能な手動範囲とに分けられている。
【０００６】
本発明の第２観点に係る空気清浄機は、第１観点に係る空気清浄機であって、手動範囲の上限が、分流部材が鉛直方向に対して所定角度だけ開方向へ傾いたＥ位置である。そして、制御部は、分流部材が真上に開いた姿勢となるＣ位置と、分流部材が鉛直方向に対して開方向へ傾き且つＥ位置には至らないＤ位置との間で、分流部材を遥動させる。
【０００７】
この第１観点または第２観点に係る空気清浄機では、分流部材の回動範囲に、電動範囲と手動範囲とを共存させることによって、空気吹出方向の設定方法の自由度が増すので、使い勝手がよい。
【０００８】
本発明の第３観点に係る空気清浄機は、清浄した空気を上向きに吹出す空気清浄機であって、分流部材と、駆動部と、制御部とを備えている。分流部材は、吹出口近傍で吹出空気を複数の吹出空気に分ける。駆動部は、分流部材を電動で回動させる。制御部は、駆動部を制御して分流部材を動作させる。そして、制御部は、分流部材を、少なくとも分流部材が真上に開いた姿勢となるＣ位置を挟んで前後に遥動させる。
【０００９】
この空気清浄機では、例えば、洗濯物の全範囲に空気を当てることができるようになり、均等に乾燥させることができる。
【００１０】
本発明の第４観点に係る空気清浄機は、第１観点から第３観点のいずれか１つに係る空気清浄機であって、分流部材の動作を開始させるボタンをさらに備えている。そして、制御部は、分流部材の動作中にボタンが押されたとき、分流部材をボタンが押されたときの位置で停止させる。
【００１１】
この空気清浄装置では、特定の対象物に吹出空気を当てることができるので、使い勝手がよい。
【００１２】
本発明の第５観点に係る空気清浄機は、第１観点から第４観点のいずれか１つに係る空気清浄機であって、分流部材が、仕切羽根と、第１風向調整羽根と、第２風向調整羽根とを有する。仕切羽根は、吹出口を、第１の吹出空気が通過する領域と第２の吹出空気が通過する領域とに仕切る。第１風向調整羽根は、仕切羽根と交差し、且つ鉛直方向に対して傾斜自在に仕切羽根に支持され、第１の吹出空気を第１方向に向かわせる。第２風向調整羽根は、仕切羽根と交差し、且つ鉛直方向に対して傾斜自在に仕切羽根に支持され、第１の吹出空気を第２方向に向かわせる。吹出口からの吹出空気は最大で３方向に吹出される。
【００１３】
この空気清浄機では、吹出空気の吹出幅が吹出口の幅以上に広がることができ、空気がより広範囲に素早く行渡る。また、空気清浄対象空間の広さに応じて、吹出空気の吹出角度を調節することができるので、使い勝手よい。
【発明の効果】
【００１４】
本発明の第１観点または第２観点に係る空気清浄機では、分流部材の回動範囲に、電動範囲と手動範囲とを共存させることによって、空気吹出方向の設定方法の自由度が増すので、使い勝手がよい。
【００１５】
本発明の第３観点に係る空気清浄機では、例えば、洗濯物の全範囲に空気を当てることができるようになり、均等に乾燥させることができる。
【００１６】
本発明の第４観点に係る空気清浄機では、特定の対象物に吹出空気を当てることができるので、使い勝手がよい。
【００１７】
本発明の第５観点に係る空気清浄機では、吹出空気の吹出幅が吹出口の幅以上に広がることができ、空気がより広範囲に素早く行渡る。また、空気清浄対象空間の広さに応じて、吹出空気の吹出角度を調節することができるので、使い勝手よい。
【図面の簡単な説明】
【００１８】
【図１】本発明の一実施形態に係る空気清浄機の斜視図。
【図２】同空気清浄機の本体上部の斜視図。
【図３】空気清浄機から空気清浄ユニットを取り外した状態の斜視図。
【図４】除湿ユニットの斜視図。
【図５】除湿ユニットをヒータ側から視た正面図。
【図６】空気清浄機から水タンクと気化素子とを引き出した状態の斜視図。
【図７】加湿ユニットの斜視図。
【図８】図６の空気流れの下流側から視た加湿ユニットの斜視図。
【図９】操作パネルの斜視図。
【図１０】（ａ）吹出口を閉じているルーバーの断面図。（ｂ）鉛直方向に対して４５°後方へ傾いているルーバーの断面図。（ｃ）鉛直方向に開いたルーバーの断面図。（ｄ）鉛直方向に対して３０°前方へ傾いているルーバーの断面図。（ｅ）鉛直方向に対して４５°前方へ傾いているルーバーの断面図。
【図１１】水タンクを上方から見た斜視図。
【発明を実施するための形態】
【００１９】
以下図面を参照しながら、本発明の実施形態について説明する。なお、以下の実施形態は、本発明の具体例であって、本発明の技術的範囲を限定するものではない。
【００２０】
＜空気清浄機の構成＞
本発明に係る空気清浄機は、空気清浄機能、除湿機能及び加湿機能を有しており、除湿運転時は除湿空気清浄機として、加湿運転時は加湿空気清浄機として稼働する。また、単に空気清浄機として稼働することもできる。
【００２１】
図１は、本発明の一実施形態に係る空気清浄機の斜視図である。図１において、空気清浄機１では、空気清浄ユニット２、除湿ユニット３、加湿ユニット４、送風機５及び制御部６が、本体１０に収納されている。本実施形態では、ユーザーが容易に空気清浄機１を移動させることができるように、本体１０の側面上部には取っ手７が設けられ、本体１０の下面（室内の床面と対向する面）コーナーにはキャスター８が設けられている。
【００２２】
取っ手７は、本体１０の側面から内側へ窪んだ形状であるので、目立たず意匠性を損なうことはない。キャスター８には、キャスターロック８１が付いており、設置するときには、キャスターロック８１を下方へ押して固定することができる（詳細は図３参照）。
【００２３】
送風機５は、本体１０に対して空気清浄ユニット２と反対側に位置しており、空気清浄ユニット２側から視たとき、空気清浄ユニット２、除湿ユニット３、加湿ユニット４、送風機５の順で並んでいる。送風機５が稼働しているとき、空気が空気清浄ユニット２側の吸込口９から吸い込まれて、除湿ユニット３を通過した後に加湿ユニット４を通過し送風機５に至る空気風路Ａが形成される。
【００２４】
図２は、空気清浄機の本体上部の斜視図である。図２において、本体１０の上部には吹出口１１が設けられており、空気流路Ａを経て浄化され調湿された空気は吹出口１１から吹き出される。空気の吹き出し方向は、吹出口１１の開口部に設置されたルーバー１２によって変更することができる。
【００２５】
ルーバー１２は、仕切羽根１２０と、第１風向調整羽根１２１と、第２風向調整羽根１２２とを有している。仕切羽根１２０は、吹出口１１を、第１の吹出空気が通過する領域と第２の吹出空気が通過する領域とに仕切る。第１風向調整羽根１２１は、第１の吹出空気を第１方向に向かわせ、第２風向調整羽根１２２は、第１の吹出空気を第２方向に向かわせる。第１風向調整羽根１２１及び第２風向調整羽根１２２は、仕切羽根１２０と交差し、且つ鉛直方向に対して傾斜自在に仕切羽根１２０に支持されている。ルーバー１２は、モータ駆動であり、図１では、ルーバー１２が閉じた状態であるが、運転を開始するとモータ駆動によって自動的に真上に開く。
【００２６】
さらに、本体１０の上部には操作パネル６０が設けられており、カバー１３によって保護されている。その操作パネル６０の下方に制御部６が位置しており、操作パネル６０から入力される信号に基づいて、空気清浄ユニット２、除湿ユニット３、加湿ユニット４、送風機５及びルーバー１２が制御される。運転モードは、操作パネル６０上の運転切換ボタンによって切り替えられる。
【００２７】
＜空気清浄ユニット２＞
図３は、空気清浄機から空気清浄ユニットを取り外した斜視図である。図３において、空気清浄ユニット２は、カバー２１と、フィルタ２２と、脱臭触媒２３と、ホコリセンサー２４と、ニオイセンサー２５とを有している。フィルタ２２と脱臭触媒２３は、本体１０に設けられた収納部２０に脱着可能に収納されており、脱臭触媒２３がフィルタ２２の空気流下流側に位置する。
【００２８】
フィルタ２２内部には、空気流上流側から順に、プレフィルタと、ホコリをプラスに帯電させるイオン化部と、マイナスに帯電したプリーツフィルタとが並んで配置されている。空気中のホコリは、プレフィルタで取り除かれ、プレフィルタで取りきれなかった小さなホコリは、イオン化部でプラスに帯電され、マイナスに帯電したプリーツフィルタに吸着される。
【００２９】
脱臭触媒２３は、フィルタ２２を通過してきた空気から臭いや有害ガスを吸着し、分解する。ホコリセンサー２４は、図３では不可視であるが、本体１０の側面上部に設けられ、ニオイセンサー２５は、収納部２０の上方に設けられている。なお、ホコリセンサー２４が、本体１０の側面に設けられたことによって吸込口９から隔離されるので、吸込口９に入る空気流の汚れを検知するのではなく、検知対象空間に対流する空気の汚れを検知することとなり、検知精度が向上する。
【００３０】
＜除湿ユニット３＞
図４は、除湿ユニットの斜視図である。図４において、除湿ユニット３は、吸着素子３１、ヒータ３２、第２送風機３３、送風管３４及び熱交換部３５を有している。吸着素子３１は、ハニカム構造体であり、ゼオライト粉末、バインダー及び膨張剤を混合して練り上げた材料によって円板状で多孔質に成形されている。バインダーは、例えば、変性ＰＰＥ、ポリプロピレン、ポリスチレン、ＡＢＳ樹脂などの熱可塑性樹脂から選択される。膨張剤は、ハニカム構造体の成形時に膨張し無数の気泡を形成する。このため、吸着素子３１は、水分に対して高い吸着性を有している。
【００３１】
ヒータ３２は、空気流路Ａに対して吸着素子３１の下流側の側面と対向する場所に配置されており、吸着素子３１の側面の６分の１程度を覆うことができる扇形の取付部材によって取り付けられている。
【００３２】
第２送風機３３は、吸着素子３１の上方から空気流路Ａに対して吸着素子３１の下流側へ突出するように取り付けられている。ヒータ３２と第２送風機３３とは空気の流通ができるように第１送風管３４ａによって連絡されている。第２送風機３３の稼働によって発生する空気は、第１送風管３４ａを通ってヒータ３２に至り、そこで加熱されて高温空気となる。
【００３３】
送風管３４は、第１送風管３４ａ、第２送風管３４ｂ、第３送風管３４ｃ及び第４送風管３４ｄから成る。ヒータ３２によって加熱された高温空気は、対向する吸着素子３１の側面から吸着素子３１の厚み方向に沿って進み、反対側の側面から出てくる。吸着素子３１の高温空気が通過した領域は、高温空気に加熱されて水分を高温空気へ放出する。
【００３４】
吸着素子３１を通過した高温空気は、高温高湿空気となって第２送風管３４ｂに入る。第２送風管３４ｂは、吸着素子３１を通過してきた高温高湿空気を完全に回収できるように、空気流路Ａに対して吸着素子３１の上流側の側面を覆うように配置されている。第２送風管３４ｂは、外形が扇形であって、側面の６分の１程度を覆っている。
【００３５】
第３送風管３４ｃは、第２送風管３４ｂから流れてくる高温高湿空気を、吸着素子３１の径方向外側の外周に沿って流す。第３送風管３４ｃには、空気流路Ａと同じ方向に貫通する複数の長孔３５ａが設けられており、空気流路Ａを流れる空気がその長孔３５ａを通過する。第３送風管３４ｃを流れる高温高湿空気は、長孔３５ａの壁面に接触しながら流れているので、長孔３５ａを通過する空気は、高温高湿空気から熱量を奪う。このため、長孔３５ａの壁面に接触した高温高湿空気は冷却され、長孔３５ａの壁面は結露する。結露水は、所定の出口を通過して後述の水タンク４０へ入る。
【００３６】
第４送風管３４ｄは、第３送風管３４ｃと第２送風機３３とを連絡している。第３送風管３４ｃを流れる高温高湿空気は、複数の長孔３５ａの壁面に接触して熱量と水分を奪われた後に、第４送風管３４ｄを通って第２送風機３３に吸い込まれる。
【００３７】
長孔３５ａは、吸着素子３１の径方向外側を囲むように設けられており、複数の長孔３５ａが熱交換部３５を形成している。除湿ユニット３は、厚み方向の寸法がほぼ同じ値に設定された平坦領域３ａが形成されており、第３送風管３４ｃと熱交換部３５とは、この平坦領域３ａに含まれる。
【００３８】
図５は、除湿ユニットをヒータ側から視た正面図である。図５において、除湿ユニット３は、駆動モータ３６をさらに有している。駆動モータ３６は、ピニオン歯車３６１を有しており、吸着素子３１の外周には、ピニオン歯車３６１と噛み合う従動歯車３１１が設けられている。駆動モータ３６が稼働している間、吸着素子３１は回転しており、空気流路Ａを通過する空気と接触して水分を吸着し、ヒータ３２と対向する位置でその水分を放出し、再び空気流路Ａを通過する空気と接触する。このため、吸着素子３１は、水分の吸着と放出を繰り返すことができる。
【００３９】
＜加湿ユニット４＞
図６は、空気清浄機の本体から水タンクと気化素子とを引き出した状態の斜視図であり、図７は、加湿ユニットの斜視図である。図６、図７において、加湿ユニット４は、水タンク４０、気化素子４１、水車４２及び駆動部４３を有している。水タンク４０は、空気流路Ａを通る空気に与える水分の水源であり、本体１０に脱着可能に収納されている。水タンク４０内の水が不足している場合は、ユーザーによって本体１０の引き出し口から引き出されて、水が補充される。
【００４０】
なお、本実施形態の空気清浄機においては、除湿ユニット３で捕獲された水を水タンク４０に貯めており、加湿運転時には廃棄しているが、再利用して水の補充の回数を低減することも可能である。
【００４１】
気化素子４１は、不織布で円板状に成形され、回転することによって水タンク４０から送られてくる水を蒸発させる気化部材である。気化素子４１は外周に第１歯車４１１を有しており、第１歯車４１１は駆動部４３によって回転する。気化素子４１は、水タンク４０の満水時の水位よりも上方に配置されているので、水タンク４０内の水とは直接接触していない。
【００４２】
水量センサー４４は、水タンク４０の水量を検知するセンサーであり、水タンク４０の満水状態及び渇水状態を未然に防止するために設けられている。なお、水量センサー４４は、フロートスイッチで代用することができる。
【００４３】
図８は、図７の空気流れの下流側から視た加湿ユニットの斜視図である。図８において、水車４２は、水タンク４０に回転可能に支持されており、水タンク４０内の水を汲み上げて気化素子４１に向って放出する。加湿ユニット４の厚み方向の寸法を小さくするため、気化素子４１と水車４２は、回転の軸を並行にし、互いに近接して対向している。
【００４４】
したがって、水車４２は側面で水を汲み上げ側面から気化素子４１の側面に向って放出する必要があり、水車４２の側面の外周近傍には、台形上の開口を有する複数の凹部４２１ａが設けられている。
【００４５】
水車４２は、回転することによって、凹部４２１ａが順番に水タンク４０の水中を通過して上昇してくる。凹部４２１ａが浸水したとき、内部へ水が入るので、水中から出てきた凹部４２１ａの内部は水で満たされている。
【００４６】
凹部４２１ａが最上位置に近づくにしたがって、凹部４２１ａ内の水は徐々に流出し、最上位置を通過したときにほぼ全ての水が流出する。水は、流出する際に重力によってある程度の勢いが付加されているので、凹部４２１ａと近接している気化素子４１の側面に向って流出する。
【００４７】
図８において、回転軸４２４は、水タンク４０の軸受４０ａに回転可能に支持されており、水タンク４０の底面から軸受４０ａの軸芯までの高さは、水車４２が配置されたときに水タンク４０が最低水位のときであっても、水車４２の最下位置にある凹部４２１ａが水没するように設定されている。
【００４８】
また、軸受４０ａは、上半分が開いているので、水タンク４０が本体１０から引き出されたときに、ユーザーは水車４２を水タンク４０から取り出して洗浄することができる。
【００４９】
水タンク４０は、引き出し式の第１扉１０ａを引き出すことによって本体１０の引き出し口１４から取り出すことができ、気化素子４１は、回転式の第２扉１０ｂを開けることによって、本体１０の取り出し口１６から取り出すことができる。これによって、ユーザーは、水タンク４０を取り出して、水の補給および水車４２の洗浄を行うことができ、気化素子４１を取り出して交換することもできる。
【００５０】
気化素子４１及び水車４２は、長期間停止しているときに、水垢などの付着により各支持部分が固着する可能性があるので、気化素子４１及び水車４２の洗浄を知らせる表示、警告を行なったり、定期的に気化素子４１と水車４２を回転させる制御を行なってもよい。
【００５１】
第１扉１０ａと閉じるときに第２扉１０ｂが開いている場合は、第１扉１０ａの上部エッジ１１０が、第２扉１０ｂの段差１１１に当たり閉じることができないため、必ず第２扉１０ｂを閉じた後でなければ第１扉１０ａを閉じることはできない。
【００５２】
なお、水タンク４０内の水の過不足は、第１扉１０ａに設けられた窓部１０ｃから目視によって確認することができる。本実施形態では、窓部１０ｃは矩形状の孔であり、この孔に水タンク４０に予め形成されている凸部４０ｃ（図８参照）が嵌合している。ユーザーは、窓部１０ｃの孔から凸部４０ｃに映る水位を目視することができる。
【００５３】
図６、図７、図８で示すように、気化素子４１は、本体１０からの取り出しを容易にするために、回転軸を突出させない形状に成形されている。このため、気化素子４１は、第１歯車４１１が駆動歯車４３１及び第２歯車４２３と噛み合うことによって支持されている。第１歯車４１１が、安定した姿勢を維持するために、駆動歯車４３１及び第２歯車４２３は、第１歯車４１１の回転軸よりも下方に位置し、且つ気化素子４１の鉛直中心線に対して互いに反対側に位置している。このため、気化素子４１は、軸支持されていなくても、安定して回転することができ、本体１０から取り出されるときには、突出する軸がないので、本体１０内部に引っ掛かることなく容易に取り出される。
【００５４】
同様に、気化素子４１が、本体１０内に収納されるときも、突出する軸がないので、本体１０内部に引っ掛かることなく容易に収納される。なお、気化素子４１が本体１０内に収納されると、取り出し口１６の奥側に設置されたリミットスイッチがオンするので、このオン信号によって制御部６は、気化素子４１の有無を確認することができる。
【００５５】
＜操作パネル６０＞
図９は、操作パネルの斜視図である。図９において、操作パネル６０上には、運転入／切ボタン６１、運転切換ボタン６２、風量選択ボタン６３、湿度選択ボタン６４、コース選択ボタン６５、タイマー選択ボタン６６、オートルーバーボタン６７、及びおすすめボタン６８が設けられており、各ボタンを押すことによって、押されたボタンに対応した信号が、操作パネル６０の下方に配置された制御部６に入力される。なお、制御部６は、マイコンとメモリを内蔵している。
【００５６】
（各ボタンの説明）
運転入／切ボタン６１は、空気清浄機１への電源供給をオン・オフするボタンであり、電源プラグをコンセントに差し込んだ後、押されると運転を開始し、再度押されると運転を停止する。
【００５７】
運転切換ボタン６２は、運転モードを選択するボタンであり、「空気清浄」、「加湿」及び「除湿」のいずれか１つを選択することができる。なお、ここで述べる「加湿」とは、空気清浄をしながらの加湿運転であり、設定湿度に達すると、加湿運転を停止するが、空気清浄運転はそのまま行なう。同様に、「除湿」とは、空気清浄をしながらの除湿運転であり、設定湿度に達すると、除湿運転を停止するが、空気清浄運転はそのまま行なう。
【００５８】
風量選択ボタン６３は、風量レベルを選択するボタンであり、「自動」、「しずか」、「標準」、「ターボ」及び「花粉」のいずれか１つを選択することができる。「自動」を選択したときは、空気の汚れに応じて自動的に風量を調節する。「ターボ」を選択したときは、大風量で空気の汚れを素早く取り除く。「花粉」を選択したときは、５分ごとに風量が「標準」と「しずか」に切り換わり、緩やかな気流をおこして、花粉が床に落ちる前に捕獲する。
【００５９】
湿度選択ボタン６４は、湿度レベルを選択するボタンであり、「低め」、「標準」、「高め」及び「連続」のいずれか１つを選択することができる。湿度の目安として、「低め」が４０％、「標準」が５０％、「高め」が６０％である。
【００６０】
コース選択ボタン６５は、季節や居住環境に対応した運転を選択するためのボタンであり、「内部乾燥」、「ハウスキープ」、「ランドリー乾燥」及び「のど・はだ加湿」のいずれか１つを選択することができる。
【００６１】
タイマー選択ボタン６６は、運転時間を設定するボタンであり、１時間、２時間及び４時間のいずれかを１つを選択することができる。タイマー運転中であっても、設置時間を選択することができる。
【００６２】
オートルーバーボタン６７は、ルーバー１２を遥動させるボタンであり、ルーバー１２が遥動しているときに押したときは、そのときの位置で停止する。おすすめボタン６８は、運転内容を自動で選択させるボタンである。
【００６３】
＜操作パネル６０の操作例＞
（おすすめ）
運転入／切ボタン６１を押した後、おすすめボタン６８を押したとき、制御部６が、その時の空気の状態に適した運転を行ない、風量は自動となる。但し、その後、室内の温度・湿度が変わっても運転内容は見直さないので、運転内容を見直す場合は、再度、おすすめボタン６８を押す。
【００６４】
（空気清浄）
運転入／切ボタン６１を押した後、運転切換ボタン６２を押して「空気清浄」を選ぶ。風量は、風量選択ボタン６３で切り換える。
【００６５】
（加湿）
運転入／切ボタン６１を押した後、運転切換ボタン６２を押して「加湿」を選ぶ。風量選択ボタン６３で風量を切り換え、湿度選択ボタン６４で湿度を切り換える。水タンク４０が空になるとブザー音が鳴り、操作パネル６０上の給水ランプが点灯し、加湿運転を停止するが、空気清浄運転は継続する。
【００６６】
（除湿）
運転入／切ボタン６１を押した後、運転切換ボタン６２を押して「除湿」を選ぶ。風量選択ボタン６３で風量を切り換え、湿度選択ボタン６４で湿度を切り換える。水タンク４０が満水になるとブザー音が鳴り、操作パネル６０上の満水ランプが点灯し、除湿運転を停止するが、空気清浄運転は継続する。
【００６７】
（内部乾燥）
運転入／切ボタン６１を押した後、コース選択ボタン６５を押して「内部乾燥」を選ぶ。このコースは、約３時間の送風運転を行い、本体１０内部を乾燥させるので、カビの発生を抑えることができる。
【００６８】
（ハウスキープ）
運転入／切ボタン６１を押した後、コース選択ボタン６５を押して「ハウスキープ」を選ぶ。このコースは、加湿運転後に不要になった湿気を取り除くために除湿運転を行うので、結露が発生しやすい冬季に適用することによって、結露の発生を抑制することができる。このコースでは、加湿運転から除湿運転に切り換わる制御が行なわれており、詳細については後で説明する。
【００６９】
（ランドリー乾燥）
運転入／切ボタン６１を押した後、コース選択ボタン６５を押して「ランドリー乾燥」を選ぶ。このコース運転は、約１２時間の大風量と、除湿運転と、ルーバー１２の遥動とによって、洗濯物を乾かしながら室内の空気清浄を行なうので、湿度の高い梅雨の季節に適している。
【００７０】
（のど・はだ加湿）
運転入／切ボタン６１を押した後、コース選択ボタン６５を押して「のど・はだ加湿」を選ぶ。このコースは、室温にあわせて、のどや肌に適した湿度に加湿するので、乾燥しやすい冬季に適している。
【００７１】
＜ルーバー１２の可動範囲＞
次に、ルーバーの動作について説明する。図１０（ａ）は吹出口を閉じているルーバーの断面図、（ｂ）は鉛直方向に対して４５°後方へ傾いているルーバーの断面図、（ｃ）は鉛直方向に開いたルーバーの断面図、（ｄ）は鉛直方向に対して３０°前方へ傾いているルーバーの断面図、（ｅ）は鉛直方向に対して４５°前方へ傾いているルーバーの断面図である。
【００７２】
工場出荷時のルーバー１２は、吹出口１１を閉じる位置にあり、図１０（ａ）の位置（以後、閉位置と呼ぶ）である。ユーザーが購入後、運転入／切ボタン６１を押して運転を開始したとき、ルーバー１２が自動的に真上に開き、図１０（ｃ）の位置（以後、Ｃ位置と呼ぶ）となる。そして、空気清浄運転時、除湿運転時および加湿運転時に、オートルーバーボタン６７を押したとき、ルーバー１２は、図１０（ｄ）のように鉛直方向に対して３０°前方へ傾いた位置（以後、Ｄ位置と呼ぶ）とＣ位置との間を遥動する。
【００７３】
オートルーバーボタン６７を押していない場合でも、コース選択ボタン６５で「ランドリー乾燥」を選択したとき、ルーバー１２は、図１０（ｂ）のように鉛直方向に対して４５°後方へ傾いた位置（以後、Ｂ位置と呼ぶ）とＤ位置よりも１５°程度後方側の位置（以後、Ｄ２位置と呼ぶ）との間を遥動する。干された洗濯物に向って、ルーバー１２がＢ位置−Ｄ２位置間を遥動するので、空気清浄され除湿された空気が洗濯物に満遍なく当たるようになる。
【００７４】
ルーバー１２が動作しているときに、オートルーバーボタン６７を押すことによって、ルーバー１２は、その位置で停止する。停止中は、吹出口１１からゴミなどの異物の侵入を防止するために、ルーバー１２を手動で閉位置へ戻して吹出口１１を閉じることができる。
【００７５】
ルーバー１２の手動による可動範囲は、閉位置から図１０（ｅ）の鉛直方向に対して４５°前方へ傾いた位置（以後、Ｅ位置とよぶ）まである。つまり、閉位置からＥ位置までの１３５°は、手動で調節できるので、使い勝手がよい。
【００７６】
＜本体１０の転倒対策＞
本実施形態では、本体１０が転倒した際に、水の流出を最小限にするための対策を採っているので、図面を用いて説明する。図１１は、水タンクを上方から見た斜視図である。図１１において、水タンク４０の蓋４０１では、図１１平面視の左中央に、給排水口４０２が設けられており、図１１平面視ほぼ中央から右端中央には、水車４２が入る開口４０３が設けられている。
【００７７】
このように、開口した領域をほぼ中央に配置したことによって、本体１０が転倒し、水タンク４０がほぼ９０°傾いた場合でも、可能な限り水を水タンク４０内に留めるようにしている。例えば、本体１０が前面転倒した場合には、図１１平面視下端からラインＬ１まで水を留めることができる。また、本体１０が背面転倒した場合には、図１１上面からラインＬ２まで水を留めることができる。
【００７８】
さらに、転倒した本体１０を正規姿勢に立てたときに、水が波打って開口４０３から飛び出すことを防止するため、開口４０３の周囲にはフランジ４０４が設けられている。
【００７９】
＜特徴＞
（１）
空気清浄機１では、制御部６がモータ１５を制御してルーバー１２を動作させる。ルーバー１２の手動によって回動可能な手動範囲は、ルーバー１２が閉姿勢となる閉位置から鉛直方向に対して４５°だけ開方向へ傾いたＥ位置にまで到る。制御部６は、ルーバー１２が真上に開いた姿勢となるＣ位置と、ルーバー１２が鉛直方向に対して開方向へ３０°傾いたＤ位置（Ｅ位置には至らない）との間で、ルーバー１２を遥動させる。ルーバー１２の回動範囲に、電動範囲と手動範囲とを共存させたことによって、空気吹出方向の設定方法の自由度が増すので、使い勝手がよい。
【００８０】
（２）
空気清浄機１では、制御部６が、ルーバー１２を、少なくともルーバー１２が真上に開いた姿勢となるＣ位置を挟んで前後に遥動させる。この結果、例えば、洗濯物の全範囲に空気を当てることができるようになり、均等に乾燥させることができる。
【００８１】
（３）
空気清浄機１では、制御部６は、ルーバー１２の動作中にオートルーバーボタン６７が押されたとき、ルーバー１２をオートルーバーボタン６７が押されたときの位置で停止させる。この結果、特定の対象物に吹出空気を当てることができるようになり、使い勝手がよい。
【００８２】
（４）
空気清浄機１は、吹出口１１に吹出空気を複数の吹出空気に分けるルーバー１２を備えている。ルーバー１２は、仕切羽根１２０と、第１風向調整羽根１２１と、第２風向調整羽根１２２とを有している。仕切羽根１２０は、吹出口１１を、第１の吹出空気が通過する領域と第２の吹出空気が通過する領域とに仕切る。第１風向調整羽根１２１は、第１の吹出空気を第１方向に向かわせる。第２風向調整羽根１２２は、第１の吹出空気を第２方向に向かわせる。第１風向調整羽根１２１及び第２風向調整羽根１２２は、仕切羽根１２０と交差し、且つ鉛直方向に対して傾斜自在に仕切羽根１２０に支持されている。このため、空気が最大で３方向に吹出され、吹出空気の吹出幅が吹出口の幅以上に広がることができ、空気がより広範囲に素早く行渡る。また、空気清浄対象空間の広さに応じて、吹出空気の吹出角度を調節することができるので、使い勝手よい。
【００８３】
（５）
空気清浄機１では、ルーバー１２を回動させることができるので、ルーバー１２が、運転を停止している期間、吹出口１１を閉じる閉姿勢とすることによって、吹出口１１からのゴミや塵埃の侵入することを防止できる。また、空気の吹出方向を微調整できるので、使い勝手がよい。
【００８４】
（６）
空気清浄機１では、制御部６が、モータ１５を介してルーバー１２を自動で連続的に回動させることができるので、空気の吹出範囲が広がる。その結果、例えば、洗濯物の全範囲に空気を当てることができるようになり、均等に乾燥させることができる。ルーバー１２の回動範囲は、モータ１５によって回動可能な電動範囲と、手動によって回動可能な手動範囲とに分けられており、ルーバー１２の回動範囲全域は手動で回動させることができる。このため、空気吹出方向の設定方法の自由度が増し、特定の対象物に吹出空気を当てることができるので、使い勝手がよい。
【産業上の利用可能性】
【００８５】
以上のように、本発明によれば、吹出空気の方向を広範囲に拡大することができるので、床置形の除湿機、加湿機、空気清浄機に有用である。
【符号の説明】
【００８６】
１  空気清浄機
６  制御部
１１  吹出口
１２  ルーバー（分流部材）
１５  モータ（駆動部）
６７  オートルーバーボタン
１２０  仕切羽根
１２１  第１風向調整羽根
１２２  第２風向調整羽根
【先行技術文献】
【特許文献】
【００８７】
【特許文献１】特開２００２−２５７４０８号公報
【図１】
2011033338.tif 000003
【図２】
2011033338.tif 000004
【図３】
2011033338.tif 000005
【図４】
2011033338.tif 000006
【図５】
2011033338.tif 000007
【図６】
2011033338.tif 000008
【図７】
2011033338.tif 000009
【図８】
2011033338.tif 000010
【図９】
2011033338.tif 000011
【図１０】
2011033338.tif 000012
【図１１】
2011033338.tif 000013